【手続補正書】
【提出日】平成23年10月14日(2011.10.14)
【手続補正１】
【補正対象書類名】特許請求の範囲
【補正対象項目名】全文
【補正方法】変更
【補正の内容】
【特許請求の範囲】
【請求項１】
ネットワークとの接続が可能であり、
印刷命令データを生成する印刷命令データ生成手段と、
前記印刷命令データ生成手段で生成された印刷命令データ全体に対して暗号化処理を施す暗号化手段と、
前記印刷命令データ生成手段で生成された印刷命令データ、または前記暗号化手段により暗号化された印刷命令データ全体に対して圧縮処理を行う圧縮処理手段と、
を備えたことを特徴とするサーバ装置。
【請求項２】
前記印刷命令データに対する暗号化処理の必要性を判定する第１の判定手段を備えていることを特徴とする請求項１に記載のサーバ装置。
【請求項３】
前記印刷命令データに対する圧縮処理の必要性を判定する第２の判定手段を備えていることを特徴とする請求項１または２に記載のサーバ装置。
【請求項４】
ネットワークとの接続が可能であり、
受信した印刷命令データを一時的に記憶する第１のバッファと、
前記印刷命令データに圧縮処理が施されているか否かを判定する圧縮データ判定手段と、
圧縮された印刷命令データを伸張する圧縮データ伸張処理手段と、
前記圧縮データ伸張処理手段によって伸張されたデータを一時的に記憶する第２のバッファと、
前記印刷命令データを展開する命令解釈手段と、
前記第１のバッファに記憶された前記印刷命令データを前記圧縮データ伸張処理手段または前記命令解釈手段のいずれかに伝送することを決定する伝送路決定手段と、
を備えていることを特徴とする画像形成装置。
【請求項５】
前記第１のバッファから前記圧縮データ伸張処理手段を介して前記第２のバッファへ続くデータ伝送路を備えていることを特徴とする請求項４に記載の画像形成装置。
【請求項６】
前記第１のバッファから前記命令解釈手段へ続くデータ伝送路を備えていることを特徴とする請求項４または５に記載の画像形成装置。
【請求項７】
前記圧縮データ判定手段は、受信した印刷命令データのマジックナンバから圧縮形式を判定することを特徴とする請求項４〜６のいずれか一つに記載の画像形成装置。
【請求項８】
前記印刷命令データが暗号化されているか否かを判定する暗号化データ判定手段と、
前記暗号化データ判定手段の判定に基づき、暗号化された印刷命令データを復号する暗号化データ復号処理手段と、
を備えていることを特徴とする請求項４〜７のいずれか一つに記載の画像形成装置。
【請求項９】
前記圧縮データ伸張処理手段および前記暗号化データ復号処理手段は、いずれも複数備えられていることを特徴とする請求項８に記載の画像形成装置。
【請求項１０】
前記第１のバッファおよび前記第２のバッファはいずれも複数のバッファからなり、前記複数のバッファにはそれぞれ所定のＩＤが付与されており、
前記伝送路決定手段が、ＩＤ管理テーブルに基づいて前記複数のバッファに付与されたＩＤを管理し当該ＩＤを指定することで前記印刷命令データを経由させるバッファを決定することを特徴とする請求項４〜９のいずれか一つに記載の画像形成装置。
【請求項１１】
前記伝送路決定手段は、前記印刷命令データのジョブ優先度を判定し、当該ジョブ優先度の順に前記印刷命令データの処理が実行できるように、前記印刷命令データを経由させるバッファを決定することを特徴とする請求項１０に記載の画像形成装置。
【請求項１２】
前記圧縮データ伸張処理手段は、破損した前記印刷命令データを検出することを特徴とする請求項４〜１１のいずれか一つに記載の画像形成装置。
【請求項１３】
前記圧縮データ伸張処理手段は、破損した前記印刷命令データを検出すると、前記命令解釈手段にキャンセル要求を送信し、前記命令解釈手段の動作を停止させることを特徴とする請求項１２に記載の画像形成装置。
【請求項１４】
前記圧縮データ伸張処理手段は、破損した前記印刷命令データを検出すると、当該印刷命令データをクリアすることを特徴とする請求項１２または１３に記載の画像形成装置。
【請求項１５】
請求項１〜３のいずれか一つに記載のサーバ装置と、
請求項４〜１４のいずれか一つに記載の画像形成装置と、
前記サーバ装置から前記画像形成装置への印刷命令データの送信を制御するクライアントＰＣまたはシンクライアントＰＣと、
を備えていることを特徴とする画像処理システム。
【請求項１６】
請求項１５に記載の画像処理システムにおいて実行される画像処理方法であって、
前記サーバ装置において前記画像形成装置へ送信する印刷命令データ全体の圧縮処理を行うデータ圧縮処理工程と、
前記画像形成装置において受信した印刷命令データが圧縮処理されているか否かを判定するデータ圧縮判定工程と、
前記データ圧縮判定工程の結果に基づき、前記画像形成装置内における前記印刷命令データの処理効率を向上させるように、前記印刷命令データの伝送路を決定するデータ伝送路決定工程と、
を備えていることを特徴とする画像処理方法。
【請求項１７】
前記データ圧縮判定工程は、
受信した印刷命令データからマジックナンバを読み出すマジックナンバ読出工程と、
前記マジックナンバ読出工程で読み出されたマジックナンバがデータの圧縮形式を示すコードと一致するか否かを判定するデータ圧縮形式判定工程と、
を備えていることを特徴とする請求項１６に記載の画像処理方法。
【請求項１８】
前記データ圧縮判定工程において前記印刷命令データが圧縮処理されていると判定された場合は、前記データ伝送路決定工程で前記印刷命令データを伸張させる前記圧縮データ伸張処理手段が配置されている伝送路を選択することを特徴とする請求項１６または１７に記載の画像処理方法。
【請求項１９】
前記サーバ装置において前記画像形成装置へ送信する印刷命令データ全体の暗号化処理を行うデータ暗号化工程と、
前記画像形成装置において受信した印刷命令データが暗号化処理されているか否かを判定するデータ暗号化判定工程と、
を備え、
前記データ伝送路決定工程は、前記データ暗号化判定工程の結果に基づき、前記画像形成装置内における前記印刷命令データの処理効率を向上させるように、前記印刷命令データの伝送路を決定することを特徴とする請求項１６〜１８のいずれか一つに記載の画像処理方法。
【請求項２０】
前記データ暗号化判定工程において前記印刷命令データが暗号化処理されていると判定された場合は、前記データ伝送路決定工程で前記印刷命令データを復号させる前記暗号化データ復号処理手段が配置されている伝送路を選択することを特徴とする請求項１９に記載の画像処理方法。
【請求項２１】
請求項１６〜２０のいずれか一つに記載の画像処理方法をコンピュータに実行させることを特徴とする画像処理プログラム。
【手続補正２】
【補正対象書類名】明細書
【補正対象項目名】発明の名称
【補正方法】変更
【補正の内容】
【発明の名称】サーバ装置、画像形成装置、画像処理システム、画像処理方法、および画像処理プログラム
【手続補正３】
【補正対象書類名】明細書
【補正対象項目名】０００１
【補正方法】変更
【補正の内容】
【０００１】
この発明は、シンクライアント環境にあっても、スムーズな印刷環境を提供するサーバ装置、画像形成装置、画像処理システム、画像処理方法、および画像処理プログラムに関する。
【手続補正４】
【補正対象書類名】明細書
【補正対象項目名】０００９
【補正方法】変更
【補正の内容】
【０００９】
この発明は、上述した従来技術による問題点を解消するため、サーバ装置と画像形成装置との間のネットワークトラフィックを軽減させ、効率よく印刷命令データの送受信が行えるサーバ装置、画像形成装置、画像処理システム、画像処理方法、および画像処理プログラムを提供することを目的とする。
【手続補正５】
【補正対象書類名】明細書
【補正対象項目名】００１１
【補正方法】変更
【補正の内容】
【００１１】
上述した課題を解決し、目的を達成するため、請求項１の発明にかかるサーバ装置は、ネットワークとの接続が可能であり、印刷命令データを生成する印刷命令データ生成手段と、前記印刷命令データ生成手段で生成された印刷命令データ全体に対して暗号化処理を施す暗号化手段と、前記印刷命令データ生成手段で生成された印刷命令データ、または前記暗号化手段により暗号化された印刷命令データ全体に対して圧縮処理を行う圧縮処理手段と、を備えたことを特徴とする。
【手続補正６】
【補正対象書類名】明細書
【補正対象項目名】００１２
【補正方法】変更
【補正の内容】
【００１２】
また、請求項２の発明にかかるサーバ装置は、請求項１に記載の発明において、前記印刷命令データに対する暗号化処理の必要性を判定する第１の判定手段を備えていることを特徴とする。
【手続補正７】
【補正対象書類名】明細書
【補正対象項目名】００１３
【補正方法】変更
【補正の内容】
【００１３】
また、請求項３の発明にかかるサーバ装置は、請求項１または２に記載の発明において、前記印刷命令データに対する圧縮処理の必要性を判定する第２の判定手段を備えていることを特徴とする。
【手続補正８】
【補正対象書類名】明細書
【補正対象項目名】００２５
【補正方法】変更
【補正の内容】
【００２５】
また、請求項１５の発明にかかる画像処理システムは、請求項１〜３のいずれか一つに記載のサーバ装置と、請求項４〜１４のいずれか一つに記載の画像形成装置と、前記サーバ装置から前記画像形成装置への印刷命令データの送信を制御するクライアントＰＣまたはシンクライアントＰＣと、を備えていることを特徴とする。
【手続補正９】
【補正対象書類名】明細書
【補正対象項目名】００２６
【補正方法】変更
【補正の内容】
【００２６】
また、請求項１６の発明にかかる画像処理方法は、請求項１５に記載の画像処理システムにおいて実行される画像処理方法であって、前記サーバ装置において前記画像形成装置へ送信する印刷命令データ全体の圧縮処理を行うデータ圧縮処理工程と、前記画像形成装置において受信した印刷命令データが圧縮処理されているか否かを判定するデータ圧縮判定工程と、前記データ圧縮判定工程の結果に基づき、前記画像形成装置内における前記印刷命令データの処理効率を向上させるように、前記印刷命令データの伝送路を決定するデータ伝送路決定工程と、を備えていることを特徴とする。
【手続補正１０】
【補正対象書類名】明細書
【補正対象項目名】００２９
【補正方法】変更
【補正の内容】
【００２９】
また、請求項１９の発明にかかる画像処理方法は、請求項１６〜１８のいずれか一つに記載の発明において、前記サーバ装置において前記画像形成装置へ送信する印刷命令データ全体の暗号化処理を行うデータ暗号化工程と、前記画像形成装置において受信した印刷命令データが暗号化処理されているか否かを判定するデータ暗号化判定工程と、を備え、前記データ伝送路決定工程は、前記データ暗号化判定工程の結果に基づき、前記画像処理装置内における前記印刷命令データの処理効率を向上させるように、前記印刷命令データの伝送路を決定することを特徴とする。
【手続補正１１】
【補正対象書類名】明細書
【補正対象項目名】００３２
【補正方法】変更
【補正の内容】
【００３２】
この発明にかかるサーバ装置、画像形成装置、画像処理システム、画像処理方法、および画像処理プログラムによれば、容量の大きいイメージデータのみではなく、グラフィック、文字、ＰＪＬ言語を含む印刷命令データ全てを圧縮して送信するので、サーバ装置と画像形成装置との間のネットワークトラフィックを軽減させ、効率よく印刷命令データの送受信が行えるという効果を奏する。
【手続補正１２】
【補正対象書類名】明細書
【補正対象項目名】００３３
【補正方法】変更
【補正の内容】
【００３３】
また、この発明にかかるサーバ装置、画像形成装置、画像処理システム、画像処理方法、および画像処理プログラムによれば、特に、前記画像形成装置側で、圧縮データと非圧縮データの伝送路を区分し、双方のデータを効率的に処理可能にしたので、画像形成装置における印刷処理の効率を向上させ、短い時間で印刷処理を実行することができるという効果を奏する。
【手続補正１３】
【補正対象書類名】明細書
【補正対象項目名】００３４
【補正方法】変更
【補正の内容】
【００３４】
以下、添付図面を参照して、この発明にかかるサーバ装置、画像形成装置、画像処理システム、画像処理方法、および画像処理プログラムの好適な実施の形態を詳細に説明する。
【手続補正１４】
【補正対象書類名】明細書
【補正対象項目名】０１７３
【補正方法】変更
【補正の内容】
【０１７３】
以上のように、この発明にかかるサーバ装置、画像形成装置、画像処理システム、画像処理方法、および画像処理プログラムは、サーバ装置と画像形成装置との間のネットワークトラフィックの軽減に有用であり、また画像形成装置における印刷処理効率をより向上させることができる。